(57)【要約】  インプラント６のねじ穴７に接続するためのねじ要素１が、幅の漸減するねじ付き先端部５で終わる主ねじ領域４を有している。漸減幅を有するねじ付き先端部５が存在することにより、２つの効果を得ることが可能になる。すなわち、その漸減幅によって、ねじ要素１が大きくずれてねじ穴７に入っても、ねじ要素１の先端部がより容易にねじ穴７に挿入され、またねじ切りされていることにより、主ねじ領域４より前に、ねじ要素１の先端部のねじ穴７へのねじ込みが始まり、その結果、ねじ要素１はねじ込まれるときに、助けなしでまっすぐに起きる傾向がある。本発明によるねじ要素１は、補綴材のねじ、閉鎖物のねじ、インプラント支持ねじ、ヒーリング・アバットメント、経上皮アバットメントなどとすることができる。
2011524758.tif 000002
【特許請求の範囲】
【請求項１】
インプラント（６）のねじ穴（７）に接続されるようになされた部品（１）であって、前記ねじ穴（７）にねじ込まれるように設計されたねじ体（３）を有する部品（１）において、
前記ねじ体（３）が、主ねじ領域（４）と、漸減幅を与えられたねじ付き先端部（５）とを有し、前記漸減幅を与えられたねじ付き先端部（５）のねじ山が、前記インプラント（６）の前記ねじ穴（７）のねじ山に対応したものであることを特徴とする部品（１）。
【請求項２】
前記主ねじ領域（４）が円筒形である請求項１に記載の部品（１）。
【請求項３】
前記漸減幅を与えられたねじ付き先端部（５）が、全体的に又は部分的に円錐形である請求項１に記載の部品（１）。
【請求項４】
前記漸減幅を与えられたねじ付き先端部（５）が、全体的に又は部分的に湾曲している請求項１に記載の部品（１）。
【請求項５】
前記漸減幅を与えられたねじ付き先端部（５）の前記ねじ山が、前記主ねじ領域（４）のねじ山に等しい請求項１に記載の部品（１）。
【発明の詳細な説明】
【技術分野】
【０００１】
本発明は、インプラントをシール又は閉鎖するため、若しくはインプラントを補綴具などの外部部品に接続するために、インプラントにそのねじ穴を通して接続されるねじ部品（特に、使用されるねじシステム）に関する。
【背景技術】
【０００２】
インプラントは患者の骨の中に取り付けられる部品であり、その最終的な機能は補綴材の接続を可能にすることである。これを達成するために、インプラントは全体的に、ヘッド部及びねじ付き先端部を有するねじと同様で近似した形状を有している。ねじ付き先端部は骨に接続されるように設計され、ヘッド部は、補綴材、及びインプラントを取り付けるために外科処置で必要とされる他の部品が接続される領域である。インプラントは、インプラントを閉鎖若しくはシールする、又はインプラントを補綴材などの外部部品に接続することを可能にする役目を担うねじ部品を接続することができるように設計されたねじ穴も備えている。例えばねじ部品は、補綴材のねじ、閉鎖物のねじ、インプラント支持ねじ（ｉｍｐｌａｎｔ−ｂｅａｒｉｎｇ  ｓｃｒｅｗ）、ヒーリング・アバットメント、経上皮などとすることができる。
【０００３】
従来技術で一般的に用いられているねじ部品は、締付けシステム（例えば溝又は空洞）、円筒形のねじ体、及びねじ山のない円筒形先端部を有している。ねじ山のない円筒形先端部は、ねじ体よりわずかに小さい直径を有しており、その目的は、ねじ部品のインプラントのねじ穴への挿入の開始を助けることである。
【発明の概要】
【発明が解決しようとする課題】
【０００４】
本発明は、インプラントのねじ穴への挿入がより容易な代替のねじ部品を提供することを目的にしている。インプラントを閉鎖又はシールするため、若しくはインプラントを補綴具などの外部部品に接続するためのねじ部品は、一般にインプラントが既に患者の骨に取り付けられた後にインプラントに接続され、この接続は極めて小さい空間において実施しなければならないことを思い起こすべきである。したがって、前記部品のインプラントへの挿入は、通常は実施が困難であり、また時々、外科医がねじ部品を落とすこともあり、それによって手術が一層複雑になり、患者に対して余計なリスクをもたらす。
【課題を解決するための手段】
【０００５】
本発明の目的は、インプラントのねじ穴に接続されるように設計されたねじ部品であって、ねじ体を有し、このねじ体が、幅の漸減したねじ先端部で終わる主ねじ領域を有するという固有の特徴を有しているねじ部品を提供することである。幅の漸減したねじ付き先端部のねじ山は、主領域のものと同じであり、或いはインプラントのねじ山に対応している（或いは互換性がある）。換言すれば、一方のねじ山を他方に導入するときに妨げられない。従来型のねじ山のない円筒形先端部の代わりに幅の漸減したねじ付き先端部が存在することは、２つの有益な効果を有する。すなわち、漸減幅を有しているため、ねじ部品が極めて顕著な角度で穴に入ったときでも、ねじ部品の先端部をより容易にねじ穴に挿入することが可能であり、またねじ切りされているため、主ねじ領域がねじ込まれる前にねじ部品の先端部をねじ穴にねじ込むことができ、その結果、ねじ部品はねじ込まれたときに、それ自体がまっすぐになる傾向がある。対照的に、従来型のねじ部品は、穴に挿入するときに、よりまっすぐに位置決めしなければならず、また主ねじ領域がインプラントのねじ穴のねじ山と接触しないようになるまでねじ込みを開始することができない。２つのねじ山が整列していない場合には、動かなくなることさえある。
【０００６】
本発明によるねじ部品は、補綴材のねじ、閉鎖物のねじ、インプラント支持ねじ、ヒーリング・アバットメント、経上皮などとすることができる。
【０００７】
本発明の詳細は、非限定的な添付図面に見ることができる。
【図面の簡単な説明】
【０００８】
【図１】ねじ部品がヒーリング・アバットメントである本発明の一実施例を示す図である。
【図２】従来型のヒーリング・アバットメントを示す図である。
【図３Ａ】図１のヒーリング・アバットメントをインプラント（特に歯科インプラント）のねじ穴に導入する順序を示す図である。
【図３Ｂ】図１のヒーリング・アバットメントをインプラント（特に歯科インプラント）のねじ穴に導入する順序を示す図である。
【図３Ｃ】図１のヒーリング・アバットメントをインプラント（特に歯科インプラント）のねじ穴に導入する順序を示す図である。
【図３Ｄ】図１のヒーリング・アバットメントをインプラント（特に歯科インプラント）のねじ穴に導入する順序を示す図である。
【図３Ｅ】図１のヒーリング・アバットメントをインプラント（特に歯科インプラント）のねじ穴に導入する順序を示す図である。
【図３Ｆ】図１のヒーリング・アバットメントをインプラント（特に歯科インプラント）のねじ穴に導入する順序を示す図である。
【図４Ａ】図２のヒーリング・アバットメントをインプラント（特に歯科インプラント）のねじ穴に導入する順序を示す図である。
【図４Ｂ】図２のヒーリング・アバットメントをインプラント（特に歯科インプラント）のねじ穴に導入する順序を示す図である。
【図４Ｃ】図２のヒーリング・アバットメントをインプラント（特に歯科インプラント）のねじ穴に導入する順序を示す図である。
【図５】本発明によるヒーリング・アバットメントの他の実施例を示す図である。
【発明を実施するための形態】
【０００９】
図１は、歯科インプラントのねじ穴に接続されるように設計された、本発明によるねじ部品の一実施例を示している。この実施例では、ねじ部品は、手術後の軟組織の成長を制御するためにインプラントに接続されるように設計されたヒーリング・アバットメント（１）である。ヒーリング・アバットメント（１）は、ヘッド部（２）及びねじ体（３）を有している。ねじ体（３）は主ねじ領域（４）を有し、それに漸減幅を与えられたねじ付き先端部（５）が続く。漸減幅を与えられたねじ付き先端部（５）のねじ山は、主ねじ領域（４）のものと同じであることが好ましく、換言すれば、ねじ山は両方の領域（４、５）の間で連続している。或いは、漸減幅を与えられたねじ付き先端部（５）のねじ山は、インプラントのねじ山と互換性（ｃｏｍｐａｔｉｂｌｅ）があれば（換言すると、主ねじ領域（４）のねじ山をインプラントのねじ穴（７）のねじ山に挿入するときに妨げがなければ）、主ねじ領域（４）のものと同じでなくてもよい。
【００１０】
図に示すケースでは、主ねじ領域（４）は円筒形であるが、他の形状も企図される。
【００１１】
この実施例では、漸減幅を与えられたねじ付き先端部（５）は円錐形である。この解決策によって、より容易な、したがってより安価な製造工程がもたらされ、適切な実施が保証される。
【００１２】
図２は、従来型のヒーリング・アバットメントを示している。従来型のヒーリング・アバットメント（１１）は、ヘッド部（１２）及びねじ体（１３）を有している。ねじ体（１３）は、主ねじ領域（１４）、及び主ねじ領域（１４）よりわずかに小さい直径を有するねじ山のない円筒形先端部（１５）を有している。
【００１３】
図３Ａ〜３Ｆは、図１のヒーリング・アバットメント（１）をインプラント（６）のねじ穴（７）に挿入する順序を示しており、インプラント（６）は断面で示してある。その順序の図３Ｂが示すように、ヒーリング・アバットメント（１）は、インプラント（６）の長手方向の軸線（８）に対して極めて顕著な角度で入ることが可能であり、それにもかかわらず、漸減幅を与えられたねじ付き先端部（５）は、ねじ穴（７）の内側のねじ山においてねじ込みを開始する。ヒーリング・アバットメント（１）を回転させると、ヒーリング・アバットメント（１）は漸減幅を与えられたねじ付き先端部（５）の円錐形の形状により、図３Ｃにおいて理解され、図３Ｄにおいてさらに明確であるように、最終的に主ねじ領域（４）がねじ込みを開始するまで徐々にまっすぐになる。
【００１４】
図４Ａ〜４Ｃは、図２の従来型のヒーリング・アバットメント（１）をインプラント（６）のねじ穴（７）に挿入する順序を示しており、インプラント（６）は断面で示してある。図４Ｂは、従来型のヒーリング・アバットメント（１１）が比較的大きい傾きで挿入されたとき、主ねじ領域（１４）がインプラント（６）のねじ穴（７）にねじ込まない（係合しない）ことを示している。従来型のヒーリング・アバットメント（１１）は、図４Ｃに示すように主ねじ領域（１４）がねじ穴（７）においてねじ込みを開始することができるように、さらにまっすぐにする必要がある。
【００１５】
換言すれば、図３Ｂを図４Ｃと比較することによって理解することができるように、本発明によるヒーリング・アバットメント（１）は、従来型のヒーリング・アバットメント（１１）よりもより大きい傾きで、インプラント（６）のねじ穴（７）におけるねじ込みを開始することが可能である。結果として、本発明によるヒーリング・アバットメント（１）は、従来型のヒーリング・アバットメント（１１）よりもインプラント（６）のねじ穴（７）に挿入するのがより容易になる。このことは特に、ヒーリング・アバットメントを、かろうじて近接することができる患者の口内に配置されたインプラントに接続しなければならず、通常はこれが問題のある処置になることを念頭に置くと、極めて重要な利点である。
【００１６】
図５は、本発明の他の実施例を示している。この場合、部品は、漸減幅を与えられたねじ付き先端部（５）が湾曲しているヒーリング・アバットメント（１）である。
【００１７】
図面に示す本発明のねじ部品は歯科インプラントに適用されているが、歯科インプラントと他のタイプのインプラントの両方に適用することが可能である。
【図１】
2011524758.tif 000003
【図２】
2011524758.tif 000004
【図３Ａ】
2011524758.tif 000005
【図３Ｂ】
2011524758.tif 000006
【図３Ｃ】
2011524758.tif 000007
【図３Ｄ】
2011524758.tif 000008
【図３Ｅ】
2011524758.tif 000009
【図３Ｆ】
2011524758.tif 000010
【図４Ａ】
2011524758.tif 000011
【図４Ｂ】
2011524758.tif 000012
【図４Ｃ】
2011524758.tif 000013
【図５】
2011524758.tif 000014
【国際調査報告】
2011524758.tif 000015
2011524758.tif 000016
2011524758.tif 000017
2011524758.tif 000018